(57)【要約】【課題】低温環境下でも吐出性に優れるとともに、過度な泡立ちも生じず、使用性に優れる液体漂白剤組成物と、これを用いた漂白剤物品の提供。【解決手段】過酸化水素（ａ）と、二級アルカンスルホン酸および／またはその塩（ｂ）と、Ｒ１−Ｐｈ−Ｏ（Ｒ３Ｏ）ｍＨで表される化合物（ｃ）とを含有する液体漂白剤組成物。式中、Ｐｈはフェニル基であり、Ｒ１は水素、炭素数１〜３のアルキル基、−Ｏ（Ｒ２Ｏ）ｎＨで表わされる基のいずれかである。Ｒ２は炭素数２または３のアルキレン基を示し、ｎは１〜６の整数を示す。また、Ｒ３は炭素数２または３のアルキレン基を示し、ｍは１〜６の整数を示す。この組成物が特定の計量−塗布兼用タイプの容器に収容された漂白剤物品によれば、特に高い泡立ち抑制効果が得られる。【選択図】なし【特許請求の範囲】
【請求項１】
過酸化水素（ａ）と、二級アルカンスルホン酸および／またはその塩（ｂ）と、下記一般式（Ｉ）で表される化合物（ｃ）とを含有することを特徴とする液体漂白剤組成物。
Ｒ１−Ｐｈ−Ｏ（Ｒ３Ｏ）ｍＨ  ・・・（Ｉ）
（式（Ｉ）中、Ｐｈはフェニル基であり、Ｒ１は水素、炭素数１〜３のアルキル基、−Ｏ（Ｒ２Ｏ）ｎＨで表わされる基のいずれかである。Ｒ２は炭素数２または３のアルキレン基を示し、ｎは１〜６の整数を示す。また、Ｒ３は炭素数２または３のアルキレン基を示し、ｍは１〜６の整数を示す。)
【請求項２】
請求項１に記載の液体漂白剤組成物がキャップ付き容器に収容された漂白剤物品であって、
前記キャップ付き容器は、口頸部が設けられた容器本体と、
前記容器本体の口頸部に装着されると共に、前記容器本体に収容された液体を注出する第１注出口を先端部に有して前記口頸部の内側から上方に向かって立ち上がるノズルと、前記ノズルの基端側に流れ落ちた液体を前記容器本体内に戻す戻し口とが設けられた注出キャップと、
前記注出キャップに着脱自在に被せられると共に、前記注出キャップから取り外して前記第１注出口から注出された液体を計り取る計量部と、前記計量部の底面部を構成すると共に前記ノズルの第１注出口に対向する位置に第２注出口を有する天板部と、前記計量部の側面部を構成すると共に前記天板部の下面から前記ノズルの周囲を囲むように垂下される内筒部と、前記天板部の下面に位置して前記ノズルの先端部が嵌合される嵌合部とが設けられた計量キャップとを備え、
前記計量キャップを前記注出キャップに被せた状態において、前記ノズルと前記嵌合部との間の全周又は一部の領域に亘って隙間が設けられていることを特徴とする漂白剤物品。
【発明の詳細な説明】
【技術分野】
【０００１】
本発明は、例えば衣類などに使用される液体漂白剤組成物と、これが容器に収容された漂白剤物品に関する。
【背景技術】
【０００２】
従来、衣類などの漂白を目的とした各種の液体漂白剤組成物が提案されている（例えば特許文献１参照。）。このような液体漂白剤組成物は、衣類などの対象物の目的の箇所に付着させやすいように、塗布機能やスプレー機能を備えた容器などに収容され、流通している場合がある。また、使用時に適切な量の液体漂白剤組成物を計り取れるように、計量機能付きのキャップを具備した容器などに収容される場合もある。
【特許文献１】特開２００４−３３１８１６号公報
【発明の開示】
【発明が解決しようとする課題】
【０００３】
しかしながら、このような各種容器に収容された液体漂白剤組成物は、その使用性において不充分な点があった。
例えば、塗布機能を備えた容器に収容された液体漂白剤組成物を使用する際には、通常、容器の上部に形成された塗布用の注出口を下向きにし、容器を倒立させた状態として、注出口から液体漂白剤組成物を吐出させることで対象物に塗布している。ところが、この際、特に冬季などの低温環境下では、液体漂白剤組成物の吐出性が悪く、塗布に時間を要する場合や、容器を強くスクイズせざるを得ない場合があった。
また、液体漂白剤組成物を収容する容器として、液体漂白剤組成物を対象物に直接塗布できる吐出口を備えるとともに、計量機能付きのキャップが装着され、液体漂白剤組成物を計り取って使用することもできるような計量−塗布兼用タイプの容器も検討されている。ところが、この容器を倒立させて液体漂白剤組成物を対象物に塗布した後、容器を正立させて保管した場合などには、倒立と正立の操作によりキャップ内に残留する液体漂白剤組成物が泡立ってしまい、次に液体漂白剤組成物をキャップで計量する時に正確に計量できない、泡があふれて液ダレしてしまうなどの不都合が生じることがあった。
【０００４】
本発明は上記事情に鑑みてなされたもので、低温環境下でも吐出性に優れるとともに、過度な泡立ちも生じず、使用性に優れる液体漂白剤組成物と、これを用いた漂白剤物品の提供を課題とする。
【課題を解決するための手段】
【０００５】
本発明の液体漂白剤祖生物は、過酸化水素（ａ）と、二級アルカンスルホン酸および／またはその塩（ｂ）と、下記一般式（Ｉ）で表される化合物（ｃ）とを含有することを特徴とする。
Ｒ１−Ｐｈ−Ｏ（Ｒ３Ｏ）ｍＨ  ・・・（Ｉ）
（式（Ｉ）中、Ｐｈはフェニル基であり、Ｒ１は水素、炭素数１〜３のアルキル基、−Ｏ（Ｒ２Ｏ）ｎＨで表わされる基のいずれかである。Ｒ２は炭素数２または３のアルキレン基を示し、ｎは１〜６の整数を示す。また、Ｒ３は炭素数２または３のアルキレン基を示し、ｍは１〜６の整数を示す。)
本発明の漂白剤物品は、前記液体漂白剤組成物がキャップ付き容器に収容された漂白剤物品であって、前記キャップ付き容器は、口頸部が設けられた容器本体と、前記容器本体の口頸部に装着されると共に、前記容器本体に収容された液体を注出する第１注出口を先端部に有して前記口頸部の内側から上方に向かって立ち上がるノズルと、前記ノズルの基端側に流れ落ちた液体を前記容器本体内に戻す戻し口とが設けられた注出キャップと、前記注出キャップに着脱自在に被せられると共に、前記注出キャップから取り外して前記第１注出口から注出された液体を計り取る計量部と、前記計量部の底面部を構成すると共に前記ノズルの第１注出口に対向する位置に第２注出口を有する天板部と、前記計量部の側面部を構成すると共に前記天板部の下面から前記ノズルの周囲を囲むように垂下される内筒部と、前記天板部の下面に位置して前記ノズルの先端部が嵌合される嵌合部とが設けられた計量キャップとを備え、前記計量キャップを前記注出キャップに被せた状態において、前記ノズルと前記嵌合部との間の全周又は一部の領域に亘って隙間が設けられていることを特徴とする。
【発明の効果】
【０００６】
本発明によれば、低温環境下でも吐出性に優れるとともに、過度な泡立ちも生じず、使用性に優れる液体漂白剤組成物と、これを用いた漂白剤物品を提供できる。
【発明を実施するための最良の形態】
【０００７】
以下、本発明を詳細に説明する。
［液体漂白剤組成物］
本発明の液体漂白剤組成物は、過酸化水素（ａ）と、二級アルカンスルホン酸および／またはその塩（ｂ）と、特定の化合物（ｃ）とを含有するものであって、通常、溶媒として水をさらに含有する。以下、これら各成分について、それぞれ（ａ）成分、（ｂ）成分、（ｃ）成分という場合がある。
【０００８】
（ａ）成分として使用される過酸化水素は、酸化力を有し、液体漂白剤組成物の漂白作用を担うものである。
（ｂ）成分として使用される二級アルカンスルホン酸および／またはその塩は、「パラフィンスルホン酸」と呼称されることもある界面活性剤であって、通常、炭素数１０〜２１の二級アルキルスルホン酸塩の混合物の形態で提供される。また、この混合物には、少量の一級アルキルスルホン酸塩、ジスルホン酸塩、ポリスルホン酸塩が含まれていてもよい。本発明においては、炭素数１３〜１８の二級アルキルスルホン酸塩を８０質量％以上含有するものを（ｂ）成分として使用することが好ましく、９０質量％以上含有するものを使用することがさらに好ましい。
塩の種類としては、アルカリ金属塩、アンモニウム塩、アルカノールアミン塩が挙げられ、具体的には、例えば、ナトリウム塩、カリウム塩、リチウム塩、アンモニウム塩や、モノ、ジおよびトリエタノールアミン塩などが挙げられ、これらが混在していてもよい。
（ｂ）成分として好適に使用できる市販品としては、ＨＯＳＴＡＰＵＲ ＳＡＳ ６０（Ｃｌａｒｉａｎｔ社；炭素数１４〜１７の含有量９０質量％以上）、ＭＥＲＳＯＬ８０（Ｂａｙｅｒ社；平均炭素数１５）、ＭＡＲＬＯＮシリーズ（ＳＡＳＯＬ社；ＰＳ６５、ＰＳ６０、ＰＳ６０Ｗ、炭素数１０〜１８（炭素数１３〜１７の含有量９０質量％以上））などが挙げられ、特に好ましくは、ＨＯＳＴＡＰＵＲ ＳＡＳ ６０、ＭＡＲＬＯＮＰＳ６５である。
【０００９】
（ｃ）成分としては下記一般式（Ｉ）で表される化合物が使用される。
Ｒ１−Ｐｈ−Ｏ（Ｒ３Ｏ）ｍＨ  ・・・（Ｉ）
Ｒ１は水素、炭素数１〜３で直鎖でも分岐鎖を有するものであってもよいアルキル基、−Ｏ（Ｒ２Ｏ）ｎＨで表わされる基のいずれかであって、Ｒ２は炭素数２または３のアルキレン基を示し、ｎは１〜６、好ましくは２〜３の整数のいずれかを示す。これらのなかでより好ましいＲ１は、水素、メチル基の他、−ＯＣＨ２ＣＨ２ＯＨ（式（Ｉ）中Ｒ２が−ＣＨ２ＣＨ２−、ｎが１）が挙げられる。
Ｒ３は炭素数２または３のアルキレン基を示し、ｍは１〜６、好ましくは２〜３の整数のいずれかを示す。
また、Ｐｈはフェニル基である。
【００１０】
これらのなかで（ｃ）成分としては、ポリオキシエチレン（ｎ＝２〜４）モノフェニルエーテル、フェニルプロピレングリコールおよびポリオキシプロピレン（ｎ＝２〜３）モノフェニルエーテル、１，４−ビス（２’−ヒドロキシエトキシ）ベンゼン、プロピレングリコールモノメチルフェニルエーテルおよびポリオキシプロピレン（ｎ＝２〜６）モノメチルフェニルエーテルが好ましい。  
【００１１】
本発明の液体漂白剤組成物は、上述の（ａ）〜（ｃ）成分を必須成分として含有するものであって、例えば、これら各成分と必要に応じて配合される後述の任意成分とを水（イオン交換水）に溶解することにより製造される。このような液体漂白剤組成物は、低温環境下でも吐出性に優れるとともに、過度な泡立ちも生じないため、例えば後述するような計量−塗布兼用タイプの容器に収容されて使用される際の使用性に非常に優れる。
すなわち、本発明者らの検討によれば、（ｂ）成分である二級アルカンスルホン酸および／またはその塩は、粘度の温度依存性が低く、そのため、低温環境下でも粘度が比較的小さく維持されることが明らかとなった。そのためこのような（ｂ）成分を界面活性剤として特に選択することによって、低温環境下でも吐出性に優れる液体漂白剤組成物を提供できるものと考えられる。一方、このような（ｂ）成分は泡立ちが比較的大きいため、これを単に含有する液体漂白剤組成物を計量−塗布兼用タイプの容器に収容して使用した場合には、キャップ内に残留する液体漂白剤組成物が泡立ってしまい、その後の計量作業に支障を来たす傾向がある。ところが、一般式（Ｉ）の化合物（ｃ）を（ｂ）成分に組み合わせて使用することによって、泡立ちが適度に抑制され、上述のようなキャップ内での泡立ちが低減されることを本発明者らは見出したものである。
【００１２】
（ａ）〜（ｃ）成分の液体漂白剤組成物中における含有量には特に制限はないが、（ａ）成分は好ましくは０．１〜６．０質量％、より好ましくは１〜５質量％である。このようは範囲であれば、より高い漂白効果が得られるとともに、安定性にも優れた液体漂白剤組成物とすることができる。
（ｂ）成分は、好ましくは０．１〜１０質量％、より好ましくは０．５〜５質量％である。このような範囲であれば、液体漂白剤組成物が低温環境下で使用された場合などであっても、優れた吐出性が得られ、泡立ちが過度になることもない。
（ｃ）成分は、好ましくは０．１〜５．０質量％、より好ましくは０．５〜３質量％である。このような範囲であれば、（ｂ）成分の泡立ちを効果的に抑えつつ、液体漂白剤組成物の粘度も適度に維持することができる。
【００１３】
また、本発明の液体漂白剤組成物は、任意成分として例えば、（ｂ）成分以外の界面活性剤、漂白活性化剤、金属イオン捕捉剤、ラジカルトラップ剤、ｐＨ調整剤、ハイドロトロープ剤、無機塩類、香料などを１種以上含有することができる。
界面活性剤としては、アニオン界面活性剤、非イオン界面活性剤、カチオン界面活性剤、両性界面活性剤があるが、アニオン性界面活性剤としては、直鎖もしくは分岐鎖状のアルキルベンゼンスルホン酸またはその塩；α−オレフィンスルホン酸塩；直鎖または分岐鎖状のアルキル硫酸エステル塩；直鎖もしくは分岐鎖状のアルキル基またはアルケニル基を有し、平均付加モル数０．５〜８モルのオキシエチレンが付加されたアルキルエーテル硫酸エステル塩またはアルケニルエーテル硫酸エステル塩；α−スルホ脂肪酸エステル塩；高級脂肪酸塩等が挙げられる。塩の形態としては、ナトリウム塩、カリウム塩等のアルカリ金属塩；マグネシウム塩等のアルカリ土類金属塩等が挙げられ、アルカリ金属塩が好ましく、ナトリウム塩がより好ましい。
【００１４】
非イオン界面活性剤としては、下記一般式（ＩＩ）で表されるものが使用できる。
Ｒ４−Ｏ（Ｒ５Ｏ）ｐＨ  ・・・（ＩＩ）
式（ＩＩ）中、Ｒ４としては炭素数８〜１６の直鎖または分岐鎖を有するアルキル基またはアルケニル基が好ましく、炭素数１０〜１４がより好ましい。このような炭素数であると、洗浄力、溶解性の点で良好である。好ましいＲ４としてはアルキル基が挙げられ、具体的にはオクチル基、ノニル基、デシル基、ウンデシル基、ドデシル基、トリデシル基、テトラデシル基、ペンタデシル基、ヘキサデシル基が好ましく挙げられ、このなかではドデシル基、テトラデシル基が特に好ましい。また、−Ｒ５Ｏ−としてはオキシエチレン基、オキシプロピレン基が挙げられ、オキシエチレン基が好ましい。なお、ｐは３〜１５の整数である。
その他には、アルキル（ポリ）グリコシド、ソルビタン脂肪酸エステル、ポリオキシエチレンソルビタン脂肪酸エステル、ポリオキシエチレン脂肪酸エステル、ポリオキシエチレン脂肪酸エステルオキシエチレンプロピレンブロック重合体、脂肪酸モノグリセライドなども使用できる。
【００１５】
カチオン界面活性剤としては、モノ長鎖炭化水素型第４級アンモニウム塩、ジ長鎖炭化水素型第４級アンモニウム塩等の各種第４級アンモニウム塩などが挙げられ、両性界面活性剤としては、カルボキシベタイン、スルホベタイン、ヒドロキシスルホベタインなどが挙げられる。
液体漂白剤組成物中の界面活性剤の含有量は、洗浄効果や保存安定性、経済性などの観点から、３〜３０質量％とすることが好ましい。また、界面活性剤は１種以上を適宜使用できる。
【００１６】
漂白活性化剤としては、テトラアセチルエチレンジアミン、ペンタアセチルグルコース、オクタノイルオキシベンゼンスルホン酸ナトリウム、ノナノイルオキシベンゼンスルホン酸ナトリウム、デカノイルオキシベンゼンスルホン酸ナトリウム、ウンデカノイルオキシベンゼンスルホン酸ナトリウム、ドデカノイルオキシベンゼンスルホン酸ナトリウム、オクタノイルオキシ安息香酸、ノナノイルオキシ安息香酸、デカノイルオキシ安息香酸、ウンデカノイルオキシ安息香酸、ドデカノイルオキシ安息香酸、オクタノイルオキシベンゼン、ノナノイルオキシベンゼン、デカノイルオキシベンゼン、ウンデカノイルオキシベンゼン、ドデカノイルオキシベンゼン等の有機過酸前駆体等が挙げられ、これらのうち１種以上を使用できるが、なかでもノナノイルオキシベンゼンスルホン酸ナトリウム、ドデカノイルオキシベンゼンスルホン酸ナトリウム、デカノイルオキシ安息香酸が好ましく使用できる。
液体漂白剤組成物中の漂白活性化剤の含有量は、漂白力の向上、保存安定性、経済性などの観点から、０．１〜５質量％とすることが好ましく、０．１〜２質量％とすることがより好ましい。
【００１７】
金属イオン捕捉剤は、任意成分、汚れなどから液体漂白剤組成物に持ち込まれて過酸化水素を分解する可能性のある金属イオン分を捕捉し、過酸化水素の分解を抑制するためのものであって、クエン酸；１−ヒドロキシエタン−１，１−ジホスホン酸、ニトリロトリメチレンホスホン酸、エチレンジアミンテトラキスメチレンホスホン酸等の有機ホスホン酸誘導体；ニトリロ三酢酸、エチレンジアミン四酢酸、ヒドロキシエチルエチレンジアミン３酢酸、ジエチレントリアミン５酢酸、トリエチレンテトラミン６酢酸等のアミノポリ酢酸類；ジカルボキシメチルグルタミン酸等の有機酸類、ポリアクリル酸等の高分子キレート剤等が挙げられ、これらのうち１種以上を使用できるが、なかでも有機ホスホン酸誘導体が好ましく、１−ヒドロキシエタン−１，１−ジホスホン酸が特に好ましい。
液体漂白剤組成物中の金属イオン捕捉剤の含有量は、漂白力の向上、過酸化水素や液体漂白剤組成物の安定性、経済性などの観点から、０．１〜３質量％とすることが好ましく、０．２〜２質量％とすることがより好ましい。
【００１８】
ラジカルトラップ剤としては、好ましくはフェノール系ラジカルトラップ剤が使用される。特に、液体漂白剤組成物のｐＨが５以上になると、上述の金属イオン捕捉剤の添加のみでは過酸化水素の分解を充分に抑制できない場合があるが、このような場合においても、フェノール系ラジカルトラップ剤を金属イオン捕捉剤とともに使用することが好ましい。また、誤使用などで液体漂白剤組成物を衣類に塗布後、長時間放置してしまった際などには、金属分や過酸化水素と反応性の高い成分による過酸化水素の異常分解が起こり、これにより衣類が損傷される場合もあるが、このような場合において、フェノール系ラジカルトラップ剤が液体漂白剤組成物に添加されていると、衣類の損傷を抑制することができる。
フェノール系ラジカルトラップ剤とは、フェノールおよびフェノール誘導体であり、該フェノール誘導体としては、フェノール性のＯＨ基を有する化合物、フェノール性のＯＨ基のエステル誘導体、エーテル誘導体等が好ましく挙げられる。なお、置換位置は、オルト位、メタ位、パラ位のいずれでもよい。なかでも、フェノール性のＯＨ基を有する化合物がより好ましい。そのなかでも、さらに好ましい化合物は、「Ｇ．Ｅ．Ｐｅｎｋｅｔｈ，Ｊ．Ａｐｐｌ．Ｃｈｅｍ」，７，５１２〜５２１頁（１９５７）に記載された酸化還元電位（Ｏ．Ｐ．）０が１．２５Ｖ以下の化合物であり、特に好ましくは０．７５Ｖ以下の化合物である。これらのなかでさらに好ましくは、ジメトキシフェノール、カテコール、ハイドロキノン、４−メトキシフェノール、ジブチルヒドロキシトルエン（ＢＨＴ）等が挙げられ、４−メトキシフェノールが特に好ましい。
液体漂白剤組成物中のラジカルトラップ剤の含有量は、過酸化水素の分解抑制効果や経済性などの観点から、０．０１〜６質量％とすることが好ましく、０．０５〜１質量％とすることがより好ましい。
【００１９】
ｐＨ調整剤としては、塩酸、硫酸、リン酸等の無機酸；ｐ−トルエンスルホン酸、クエン酸、ホスホン酸誘導体等の有機酸；ホウ酸ナトリウム、水酸化ナトリウム、水酸化カリウム、炭酸ナトリウム、炭酸水素ナトリウム、モノエタノールアミン、ジエタノールアミン、トリエタノールアミン、アンモニア等を使用できる。なお、本発明の液体漂白剤組成物のｐＨは２〜７とすることが好ましく、所望のｐＨとなるように、各種ｐＨ調整剤を使用すればよい。
ハイドロトロープ剤としては、エタノール、イソプロパノール等の１価アルコール類；エチレングリコール、プロピレングリコール、ポリエチレングリコール、グリセリン等の多価アルコール類等を用いることができる。
液体漂白剤組成物中のハイドロトロープ剤の含有量は、０．１〜１０質量％とすることが好ましい。
無機塩類としては、塩化ナトリウム、塩化カリウム、硫酸ナトリウム、炭酸ナトリウム、炭酸カリウムなどが使用できる。
【００２０】
［漂白剤物品］
本発明の液体漂白剤組成物は、低温環境下でも吐出性に優れるとともに、過度な泡立ちも生じないため、液体漂白剤組成物を対象物に直接塗布できる吐出口を備えるとともに、計量機能付きのキャップが装着され、液体漂白剤組成物を計り取って使用することもできるような計量−塗布兼用タイプの容器への収容に好適である。
すなわち、計量−塗布兼用タイプの容器に収容された液体漂白剤組成物を使用する際には、この容器を倒立させて液体漂白剤組成物を対象物に塗布した後、容器を正立させて保管し、その後、液体漂白剤組成物をキャップで計量しようとする場合もあるが、この場合、倒立と正立の操作によりキャップ内に残留する液体漂白剤組成物が泡立ってしまい、保管後に液体漂白剤組成物をキャップで計量する時に正確に計量できない、泡があふれて液ダレしてしまうなどの不都合が生じることがある。しかしながら、本発明の液体漂白剤組成物が計量−塗布兼用タイプの容器に収容された漂白剤物品によれば、このような不都合なく、使用することができる。
【００２１】
計量−塗布兼用タイプの容器としてはどのようなものも使用できるが、泡の発生を抑える効果が高いことから、図１のキャップ付き容器を好適に例示できる。
図１のキャップ付き容器１は、液体漂白剤組成物が収容される容器本体２と、この容器本体２の口頸部２ａに装着される注出キャップ３と、この注出キャップ３に着脱自在に被せられた計量キャップ４とを備えている。
【００２２】
容器本体２は、例えばポリエチレン樹脂やポリプロピレン樹脂、ポリエステル樹脂などの合成樹脂材料をブロー成形によりボトル状に成形したものからなる。この容器本体２の底部から筒状に起立した胴部の上端部には、略円筒状に縮径された口頸部２ａが設けられている。また、口頸部２ａの外周面には、注出キャップ３を螺合により装着するためのネジ部２ｂが形成されている。なお、容器本体２の形状については、特に限定されないものの、使用する際に持ち易く且つ注出操作のし易い形状のものが好ましい。例えば、図２に示すように、繰り返し弾性変形（スクイズ変形）させることが可能な弾性復元力を有して形成された筒状の胴部２ｃを有し、この胴部２ｃの上部に位置する、いわゆる口元の部分が若干の傾斜を有するように（図示例では図中左側へ傾斜）形成されたものが好適である。このような容器本体２であれば、液体漂白剤組成物の汚れ部分への塗布が容易に行える。
【００２３】
注出キャップ３は、例えばポリエチレン樹脂やポリプロピレン樹脂などの合成樹脂材料からなる。この注出キャップ３は、口頸部２ａの内側から上方に向かって立ち上がる注出ノズル５と、この注出ノズル５の基端側に位置して注出ノズル５の周囲を囲む環状の底壁６と、この底壁６の外周縁部から上方に向かって立ち上がる筒状の内側周壁７と、この内側周壁７の上方に位置して計量キャップ４が着脱自在に装着される内筒部８と、この内筒部８の外側に位置して口頸部２ａに着脱自在に装着される外筒部９とを有している。
【００２４】
このうち、注出ノズル５は、容器本体２に収容された液体漂白剤組成物を注出する第１注出口５ａを先端部に有し、口頸部２ａ内の略中央位置において口頸部２ａの開口周縁部よりも上方に突出して設けられている。注出ノズル５は、その先端部から基端側の中途部まで径が漸次拡径する形状を有すると共に、その先端部が斜めにカットされた形状を有している。また、斜めにカットされた第１注出口５ａの上端部は、容器本体２を傾ける側に位置している。
【００２５】
底壁６は、注出ノズル５を傾ける方向とは反対方向に下降するように傾斜して設けられている。また、この底壁６の最下端部は、注出ノズル５や計量キャップ４に付着した液体漂白剤組成物を回収するための液溜め部６ａを形成している。そして、内側周壁７には、この液溜め部６ａに溜まった液体漂白剤組成物を容器本体２内に戻すための戻し口１０が設けられている。
この戻し口１０は、注出ノズル５の基端側に流れ落ちた液体漂白剤組成物を容器本体２内に戻すためのものであり、容器本体２の内部と連通される部分である。なお、このような戻し口１０は、内側周壁７以外にも注出ノズル５の基端部や底壁６に設けることも或いはそれらの間に亘って設けることもできる。
【００２６】
内側周壁７は、口頸部２ａの内側に挿入される部分であり、注出ノズル５との間に環状の空隙を隔てて設けられている。内筒部８は、この内側周壁７の上端部から段差部１１を介して更に口頸部２ａよりも上方に向かって略円筒状に立ち上がり形成されている。また、内筒部８の外周面には、計量キャップ４を螺合により着脱自在とするためのネジ部８ａが形成されている。外筒部９は、内筒部８のネジ部８ａよりも下方に位置するフランジ部１２を介して下方に向かって略円筒状に垂下されている。また、外筒部９の内周面には、上述した口頸部２ａのネジ部２ｂに螺合されるネジ部９ａが形成されている。これにより、注出キャップ３は、容器本体２の口頸部２ａに対して着脱自在に装着することが可能となっている。
【００２７】
計量キャップ４は、例えばポリエチレン樹脂やポリプロピレン樹脂などの合成樹脂材料からなる。この計量キャップ４は、注出キャップ３から取り外して注出ノズル５の第１注出口５ａから注出された液体漂白剤組成物を計り取る計量部４ａと、注出キャップ３に被せた状態のまま容器本体２に収容された液体漂白剤組成物を注出する第２注出口１３とを有している。
【００２８】
具体的に、この計量キャップ４は、計量部４ａの底面部を構成する天板部１４と、計量部４ａの側面部を構成する内筒部１５と、内筒部１５の外側に位置して注出キャップ３に着脱自在に装着される外筒部１６とを有している。
【００２９】
このうち、天板部１４は、内筒部１５と一体に形成されて内筒部１５の上面部を閉塞している。また、天板部１４には、上述した注出ノズル５の第１注出口５ａに対向する第２注出口１３が設けられている。具体的に、第２注出口１３は、上述した注出ノズル５の第１注出口５ａよりも小径であり、第１注出口５ａの内側に位置するように配置されている。また、第２注出口１３は、容器本体２に収容された液体漂白剤組成物を例えば衣類の襟や袖などに直接塗布できるように、例えば天板部１４の略中央部から上方に向かって僅かに突出したノズル形状を有している。
【００３０】
さらに、第２注出口１３は、第１注出口５ａの中心から容器本体２を傾ける側に偏倚して設けられている。この場合、計量キャップ４を注出キャップ３に被せた状態のまま容器本体２を傾けることによって、注出ノズル５の第１注出口５ａから注出された液体漂白剤組成物を第２注出口１３から速やかに注出させることができる。
【００３１】
天板部１４の下面部には、注出ノズル５の先端部が嵌合される嵌合部１７が設けられている。この嵌合部１７は、天板部１４の下面部に形成された凹部であり、この凹部の底面部に第２注出口１３が形成されている。また、この嵌合部１７と注出ノズル５との間には、詳細を後述する隙間Ｓが設けられている。
【００３２】
一方、天板部１４の上面部には、第２注出口１３を開閉する開閉手段であるカバーキャップ１８がヒンジ部１８ａを介して回動可能に設けられている。このカバーキャップ１８は、天板部１４とは別体に形成されており、天板部１４に装着される装着部１８ｂと、第２注出口１３を閉塞する蓋部１８ｃとがヒンジ部１８ａにより連結された構造を有している。このうち、装着部１８ｂには、第２注出口１３を外部に臨ませる開口部１８ｄが設けられ、蓋部１８ｃの天板部１４と対向する面には、第２注出口１３を閉塞する栓部１８ｅが突出して設けられている。また、このカバーキャップ１８は、計量キャップ４と一体に形成することも可能である。
【００３３】
計量キャップ４は、このようなカバーキャップ１８を設けることによって、容器本体２から注出された液体漂白剤組成物を計り取る際に第２注出口１３からの液漏れを確実に防ぐことができる。また、カバーキャップ１８は、ヒンジ部１８ａを介して計量キャップ４に連結されていることから、このカバーキャップ１８を開蓋した際に無くしてしまうといったことを防ぐことができる。
また、ヒンジ部１８ａは、計量キャップ４の容器本体２を傾ける側とは反対側の側面部に位置して設けられている。この場合、第２注出口１３から液体漂白剤組成物を注出する際にカバーキャップ１８が邪魔とならないように、ヒンジ部１８ａとは反対側を下に向けて容器本体２を傾けることになるため、使用者に対して容器本体２を傾ける向きを通知させることができる。
【００３４】
内筒部１５は、天板部１４の下面から注出ノズル５の周囲を囲むように垂下されている。外筒部１６は、内筒部１５の外周面の中途部に位置するフランジ部１９を介して下方に向かって略円筒状に垂下されている。また、外筒部１６の内周面には、上述した内筒部８のネジ部８ａに螺合されるネジ部１６ａが形成されている。これにより、計量キャップ４は、注出キャップ３に対して着脱自在に被せることが可能となっている。
【００３５】
なお、計量キャップ４は、計量部４ａによる計量を行い易くするため、透明であることが好ましく、内筒部１５の側面部には、容量表示のための目盛り（図示せず。）が設けられている。また、外筒部１６の外周面には、この計量キャップを回す際の滑り止めとなる複数の縦溝２０が全周に亘って設けられている。
また、計量キャップ４は、このような注出キャップ３の外側に嵌合される外嵌合型に限らず、注出キャップ３の内側に嵌合される内嵌合型であってもよい。
【００３６】
以上のようなキャップ付き容器１に液体漂白剤組成物が収容された漂白剤物品を洗濯時などに使用する方法としては、例えば、以下の２つの方法がある。
（１）カバーキャップ１８を閉じた計量キャップ４を注出キャップ３から取り外し、容器本体２を傾けて注出ノズル５の第１注出口５ａから注出された液体漂白剤組成物を計量キャップ４の計量部４ａで計り取った後に、洗濯機に投入する。
（２）計量キャップ４を注出キャップ３に被せた状態のままカバーキャップ１８を開き、容器本体２を傾けたり倒立させたりすることによって、注出ノズル５の第１注出口５ａから注出された液体漂白剤組成物を第２注出口１３から注出し、衣類の襟や袖などに直接塗布する。
【００３７】
ここで図１のキャップ付き容器１では、注出ノズル５と嵌合部１７との間に空気流通路として機能する隙間Ｓが設けられている。具体的に、このキャップ付き容器１には、図３及び図４に拡大して示すように、容器本体２を傾ける側とは反対側に位置する嵌合部１７の内周面を所定の角度範囲（例えばθ＝９０゜）に亘って切り欠く切欠き部２１が設けられている。そして、この切欠き部２１によって注出ノズル５と嵌合部１７との間に隙間（例えばＳ＝０．５〜１．０ｍｍ）が形成されている。したがって、計量キャップ４を注出キャップ３に被せた状態においては、切欠き部２１が形成された領域に隙間Ｓが形成され、それ以外の領域では注出ノズル５と嵌合部１７とが密着した状態となっている。
【００３８】
そのため、このキャップ付き容器１では、このような隙間Ｓを通じて第２注出口１３から流入する外部の空気を計量部４ａ内に導入することができ、これにより、計量部４ａ内の空気の置換効率を高めることができる。また、計量部４ａ内の空気の置換効率を高めることによって、計量部４ａ内に流入した液体漂白剤組成物を戻し口１０から容器本体２の内部へと速やかに戻すことができ、その結果、計量部４ａ内での泡の発生を防ぐことができる。
したがって、このキャップ付き容器１では、例えばこの容器１を倒立させ、その後正立させるなどした場合であっても、計量キャップ４内での泡立ちが抑えられ、泡の影響を受けることなく液体漂白剤組成物を計量キャップ４の計量部４ａにより正確に計り取ることができる。また、泡があふれて液ダレしてしまうなどの不都合も生じない。
【００３９】
また、このキャップ付き容器１では、容器本体２を傾ける側とは反対側に隙間Ｓを設けることによって、容器本体２を傾けた状態から正立状態に戻したときに、該隙間Ｓを通じて第２注出口１３から流入する外部の空気を計量部４ａ内に速やかに導入することができる。その結果、計量部４ａ内の空気の置換効率を更に高めることができる。
【００４０】
また、このキャップ付き容器１では、注出ノズル５の先端部が斜めにカットされた形状を有すると共に、斜めにカットされた第１注出口５ａの上端部が容器本体２を傾ける側に位置している。この場合、容器本体２を傾けた状態から正立状態に戻したときに、注出ノズル５の先端部における液切れを良くすることができる。また、容器本体２を傾ける側とは反対側において外部の空気を計量部４ａ内に導入するための隙間Ｓを確保できることから、計量部４ａ内の空気の置換効率を更に高めることができる。
【００４１】
また、上記隙間Ｓは、上述した嵌合部１７の内周面を切り欠く切欠き部２１の代わりに、例えば図５に示すように、注出ノズル５の外周面を切り欠く切欠き部２２によって形成してもよい。具体的に、図５に示す注出ノズル５の先端部には、容器本体２を傾ける側とは反対側の一部を切り欠く切欠き部２２が設けられている。この切欠き部２２は、計量キャップ４を注出キャップ３に被せた状態において注出ノズル５と嵌合部１７とが密着した部分よりも更に下方に臨んで設けられている。そして、このような切欠き部２２によって形成された隙間Ｓを通じて第２注出口１３から流入する外部の空気を計量部４ａ内に導入することが可能となっている。したがって、この場合も、計量部４ａ内の空気の置換効率を高めることができ、この計量部４ａ内での泡の発生を防ぐことができる。
【００４２】
また、上記隙間Ｓは、上述した切欠き部２１，２２のように、注出ノズル５と嵌合部１７との互いに対向する面のうち少なくとも一部を切り欠くことによって形成されたものに必ずしも限定されるものではない。
【００４３】
例えば、上記隙間Ｓは、図６に示すように、斜めにカットされた注出ノズル５の先端部のうち、その傾斜した面の下端部を嵌合部１７よりも下方に位置させることによって形成することができる。この場合も、容器本体２を傾ける側とは反対側において外部の空気を計量部４ａ内に導入するための隙間Ｓを確保することができる。
【００４４】
また、上記隙間Ｓは、図７に示すように、注出ノズル５の先端部の外径を嵌合部１７の内径よりも小さくし、この注出ノズル５の先端部を嵌合部１７の内側に遊嵌させることによって、注出ノズル５と嵌合部１７との間に形成することができる。この場合、注出ノズル５は、嵌合部１７の中心から容器本体２を傾ける側に偏倚して嵌合部１７の内側に嵌合されることが好ましい。これにより、容器本体２を傾ける側とは反対側において隙間Ｓを大きく確保することができる。
【００４５】
また、上記隙間Ｓは、注出ノズル５と嵌合部１７との間の一部の領域に亘って設けるだけでなく、場合によっては注出ノズル５と嵌合部１７との間の全周に亘って設けることもできる。
【００４６】
なお、嵌合部１７は、上述した凹部に限らず、例えば第２注出口１３の周囲から円筒状に垂下される突起部を形成し、この突起部の内側に注出ノズル５の先端部が嵌合される構成としてもよい。この場合も、突起部と注出ノズル５との間の全周又は一部の領域に亘って隙間Ｓを設けることによって、計量部４ａ内の空気の置換効率を高め、この計量部４ａ内での泡の発生を防ぐことができる。
【００４７】
また、本発明の漂白剤物品に使用されるキャップ付き容器としては、上記実施形態に必ずしも限定されず、他の形態のものも使用できる。例えば、上記実施形態では、計量キャップ４の第２注出口１３を開閉する開閉手段として、上述した図１に示すカバーキャップ１８が設けられた構成となっているが、このようなカバーキャップ１８の代わりに、例えば図８に示すようなターレット型のキャップ開閉機構３０を計量キャップ４に設けた構成としてもよい。
【００４８】
具体的に、このキャップ開閉機構３０は、例えば衣類の襟や袖などの部分的な汚れに対して、液体漂白剤組成物を直接塗布することができる塗布ノズル３１を有し、この塗布ノズル３１は、上記計量キャップ４の天板部１４に基端部が回動可能に取り付けられている。一方、上記計量キャップ４の天板部１４には、この塗布ノズル３１を収容するための収容凹部３２が設けられており、この収容凹部３２の底部に上記第２注出口１３（図８において図示せず。）が配置されている。塗布ノズル３１は、収容凹部３２に収容される収容位置と、収容凹部３２の側面に当接されて回動が阻止される起立位置との間で略９０゜の角度範囲に亘って回動可能となっている。そして、この塗布ノズル３１は、回動操作によって収容凹部３２に収容された状態にあるとき、収容凹部３２に密着嵌合されることで第２注出口１３を閉塞する。一方、この塗布ノズル３１は、回動操作によって収容凹部３２から起立した状態にあるとき、その基端部が収容凹部３２に密着嵌合することで第２注出口１３と連通された状態となる。これにより、第２注出口１３を通じて塗布ノズル３１の先端から液体漂白剤組成物を注出することが可能となっている。
以上のようにして、このキャップ開閉機構３０では、塗布ノズル３１の回動操作によって計量キャップ４の第２注出口１３を開閉することが可能となっている。なお、塗布ノズル３１の先端部には、収容位置にて計量キャップ４よりも外側に張り出した鍔部３３が設けられている。塗布ノズル３１は、この鍔部３３によって収容凹部３２から容易に起立させることが可能となっている。
【００４９】
また、その他には、例えば図９に示すようなプッシュプル型のキャップ開閉機構４０を計量キャップ４に設けた構成としてもよい。このキャップ開閉機構４０は、中央部にノズル４１ａが設けられたプッシュプルキャップ４１を有し、このプッシュプルキャップ４１は、上記計量キャップ４の天板部１４に取り付けられて、上下方向にスライド（プッシュプル）可能となっている。一方、上記計量キャップ４の天板部１４には、このプッシュプルキャップ４１を収容するための収容凹部４２が設けられており、この収容凹部４２の底部に上記第２注出口１３（図９において図示せず。）が配置されている。そして、このプッシュプルキャップ４１は、押し込み（プッシュ）操作によって収容凹部４２に収容された状態にあるとき、第２注出口１３を閉塞する。一方、このプッシュプルキャップ４１は、引張り（プル）操作によって収容凹部４２から突出した状態にあるとき、第２注出口１３を開放し、この第２注出口１３を通じてノズル４１ａの先端から液体漂白剤組成物を注出することが可能となっている。
以上のようにして、このキャップ開閉機構４０では、プッシュプルキャップ４１のプッシュプル操作によって計量キャップ４の第２注出口１３を開閉することが可能となっている。なお、プッシュプルキャップ４１の側面部には、このプッシュプルキャップ４１を引き出す際の滑り止めとなる複数の横溝４３が設けられている。
【００５０】
さらにその他には、例えば図１０に示すようなトグル型のキャップ開閉機構５０を計量キャップ４に設けた構成としてもよい。このキャップ開閉機構５０は、側面部に注ぎ口５１ａが設けられたトグルキャップ５１を有し、このトグルキャップ５１は、上記計量キャップ４の天板部１４に揺動可能に取り付けられている。一方、上記計量キャップ４の天板部１４には、このトグルキャップ５１を収容するための収容凹部５２が設けられており、この収容凹部５２の底部に上記第２注出口１３（図１０において図示せず。）が配置されている。そして、このトグルキャップ５１は、図１０Ａに示すように、揺動操作によって注ぎ口５１ａ側が収容凹部５２に収容された状態にあるとき、第２注出口１３を閉塞する。一方、このトグルキャップ５１は、図１０Ｂに示すように、揺動操作によって注ぎ口５１ａ側が収容凹部５２から突出した状態にあるとき、第２注出口１３を開放し、この第２注出口１３を通じて注ぎ口５１ａから液体漂白剤組成物を注出することが可能となっている。
以上のようにして、このキャップ開閉機構５０では、トグルキャップ５１の揺動操作によって計量キャップ４の第２注出口１３を開閉することが可能となっている。
【００５１】
さらにその他には、上述したキャップ開閉機構３０，４０，５０以外にも、スクリュー型のキャップ開閉機構を計量キャップ４に設けた構成とすることも可能である。
【実施例】
【００５２】
以下、本発明について実施例を挙げて具体的に説明する。
［実施例１〜８、比較例１〜５］
表１に示す含有量（質量％）で各成分を含有する液体漂白剤組成物を調製した。なお、溶媒として精製水を使用し、表１に記載の各成分と精製水とを合わせて１００質量％となるようにした。
そして、得られた各液体漂白剤組成物を図１に示すキャップ付き容器に収容して漂白剤物品とし、下記評価を行った。結果を表１に示す。
なお、各液体漂白剤組成物に使用した各成分の詳細を表２に示す。
【００５３】
［評価］
（１）泡立ち抑制性（キャップ計量のしやすさ）
キャップ付き容器を２０秒間倒立させて、第２注出口から液体漂白剤組成物を布に吐出させ塗布した後、正立させて１０秒間放置した。ついで、計量キャップにてキャップ計量したときの計量しやすさを下記基準にて評価した。評価は１０回実施し、その平均値を表１に示す。
評価基準  ３：特に不具合なく計量できた。
２：キャップ内の泡が気になり、丁寧に注がざるを得なかった。
１：キャップから泡があふれ、液ダレを生じた。
（２）低温環境下での吐出性
液体漂白剤組成物を５℃とした条件下、キャップ付き容器の先端を水平に対して下向に４５°の角度となるように傾け、第２注出口から液体漂白剤組成物を布に吐出させ塗布した際の第２注出口からの液体漂白剤組成物の吐出しやすさを下記基準にて評価した。評価は５名により実施し、５名中の最も悪い評価結果を表１に示す。
評価基準  ○：特に不具合なく使えた。
△：液の吐出が遅いため、やや使いづらい。
×：容器を強くスクイズしないと出ないため、使いづらい。
【００５４】
【表１】
2008156410.tif 000002
【００５５】
【表２】
2008156410.tif 000003
【００５６】
表から明らかなように、各実施例の液体漂白剤組成物によれば、泡立ち抑制性が高く、かつ、低温環境下での吐出性も優れていることが示された。
【図面の簡単な説明】
【００５７】
【図１】本発明の漂白剤物品に使用されるキャップ付き容器の一構成例を示す断面図である。
【図２】図１に示すキャップ付き容器の容器本体の一例を示す正面図である。
【図３】図１に示すキャップ付き容器の要部を拡大して示す縦断面図である。
【図４】図１に示すキャップ付き容器の要部を拡大して示す横断面図である。
【図５】キャップ付き容器の他の例を示し、（ａ）はその縦断面図であり、（ｂ）はその横断面図である。
【図６】キャップ付き容器のさらに他の例を示す縦断面図である。
【図７】キャップ付き容器のさらに他の例を示す横断面図である。
【図８】ターレット型のキャップ開閉機構を示す斜視図である。
【図９】プッシュプル型のキャップ開閉機構を示す斜視図である。
【図１０】トグル型のキャップ開閉機構を示す斜視図であり、Ａはその閉塞時であり、Ｂはその開放時である。
【符号の説明】
【００５８】
１…キャップ付き容器  ２…容器本体  ３…注出キャップ  ４…計量キャップ  ４ａ…計量部  ５…注出ノズル  ５ａ…第１注出口  ５ｂ…嵌合部  ６…底壁  ６ａ…液溜め部  ７…内側周壁  ８…内筒部  ９…外筒部  １０…戻し口  １３…第２注出口  １４…天板部  １５…内筒部  １６…外筒部  １７…嵌合部  １８…カバーキャップ
【図１】
2008156410.tif 000004
【図２】
2008156410.tif 000005
【図３】
2008156410.tif 000006
【図４】
2008156410.tif 000007
【図５】
2008156410.tif 000008
【図６】
2008156410.tif 000009
【図７】
2008156410.tif 000010
【図８】
2008156410.tif 000011
【図９】
2008156410.tif 000012
【図１０】
2008156410.tif 000013